(57)【要約】      （修正有）【課題】発光体を用いて、人の目を模したイラストを印刷したデザインシートがシルエットのような浮かび上がりと同時に、輝く目のように見えるような各種ＣＤの販促用の広告用グッズとして使用することができる、発光機能付きＣＤケース型装飾装置を提供する。【解決手段】ケース本体３の収納基部５と装飾蓋部１７で構成される空間７３に、イラスト１１を印刷したデザインシート９の印刷体９１を前記空間７３の正面側５１の全面に内設し、前記イラスト１１に準じた位置に複数のＬＥＤ素子を配設した発光ユニットと、小型電池とスイッチを電池ボックスに内蔵した電源ユニットと、前記ＬＥＤ素子の点灯制御回路からなる制御ユニットとを前記空間７３の背面側５３に内設して構成されてなる。【選択図】図１
0003203064.tif 000002
【実用新案登録請求の範囲】
【請求項１】
矩形の底板部、及び前記底板部の外周に沿って少なくとも一部に形成されてなる周壁を有する収納基部と、透明な樹脂からなる矩形の装飾板部、及び前記装飾板部の外周に沿って形成されてなる周壁を有する装飾蓋部とが、それぞれの基端部に設けられてなるヒンジ部において枢着されて互いに開閉可能に構成されてなるケース本体を備え、
前記装飾板部の内側面に内設され、透光部分及び遮光部分とを有してなる平板状のデザインシートと、
前記収納基部と前記装飾蓋部とを閉じ合わせた状態で前記透光部分の直下となる位置に複数のＬＥＤ素子が配設されてなる発光ユニットと、
小型電池とスイッチを電池ボックスに内蔵した電源ユニットと、
前記ＬＥＤ素子の点灯制御回路からなる制御ユニットとが、前記ケース本体に収納されてなることを特徴とする発光機能付きＣＤケース型装飾装置。
【請求項２】
前記デザインシートがプラスチックの透明材料からなり、前記デザインシートは、前記デザインシートの表面にイラストが印刷された前記プラスチックの印刷体からなる請求項１に記載の発光機能付きＣＤケース型装飾装置。
【請求項３】
前記制御ユニットに、振動センサーと音センサーを設けてなる請求項２に記載の発光機能付きＣＤケース型装飾装置。
【考案の詳細な説明】
【技術分野】
【０００１】
本考案は、発光機能付きＣＤケース型装飾装置に関するもので、特に、各種ＣＤ
の販促用の広告用グッズに関するものである。
【背景技術】
【０００２】
ＣＤケースの装飾において、ＣＤケースのコーナー空間部に収めた電飾発光装置の発光体からの点滅光を照射するＣＤケースが提案されている。
具体的には、コンパクトディスクを収めるＣＤケースに、ＬＥＤ（Light  Emitting  Diode）素子、回路部、スイッチ機構、電池から成る電飾発光装置を組み合わせた構成を有する電飾発光するＣＤケースが知られている（特許文献１参照）。
【先行技術文献】
【特許文献】
【０００３】
【特許文献１】特開２００３−１２０８１号公報
【考案の概要】
【考案が解決しようとする課題】
【０００４】
しかし、従来技術は、ＣＤケースの容体の軸部寄りコーナーの空間部に電飾発光装置を収めた簡易な構成としているので、限られた狭い範囲での点滅発光となり、当該ＣＤケースに限定した電飾発光となるために、本考案の目的とするＣＤの販促用の広告用グッズとして使用するには不充分であった。
【課題を解決するための手段】
【０００５】
本考案は、前記課題を解決し、有用で装飾効果の高い発光機能付きＣＤケース型装飾装置を提供するもので、請求項１に記載の考案は、矩形の底板部、及び前記底板部の外周に沿って少なくとも一部に形成されてなる周壁を有する収納基部と、透明な樹脂からなる矩形の装飾板部、及び前記装飾板部の外周に沿って形成されてなる周壁を有する装飾蓋部とが、それぞれの基端部に設けられてなるヒンジ部において枢着されて互いに開閉可能に構成されてなるケース本体を備え、前記装飾板部の内側面に内設され、透光部分及び遮光部分とを有してなる平板状のデザインシートと、前記収納基部と前記装飾蓋部とを閉じ合わせた状態で前記透光部分の直下となる位置に複数のＬＥＤ素子が配設されてなる発光ユニットと、小型電池とスイッチを電池ボックスに内蔵した電源ユニットと、前記ＬＥＤ素子の点灯制御回路からなる制御ユニットとが、前記ケース本体に収納されてなることを特徴とする発光機能付きＣＤケース型装飾装置である。
【０００６】
本考案の前記発光機能付きＣＤケース型装飾装置に係る前記ケース本体は、ＣＤ（コンパクトディスク）、ＤＶＤ（デジタル  ヴァーサタイル  ディスク）、ＢＤ（ブルーレイディスク）等（以下、ＣＤと称す）を収納するＣＤケースであっても良い。
【０００７】
前記デザインシートはイラストをデザインして印刷したプラスチックの印刷体からなるものであっても好ましい。この場合、前記デザインシートには前記印刷体によって光が透過する透光部分、及び光が遮光される遮光部分が形成されてなるので、前記デザインシートの前記透光部分に光が当たればその部分のダイレクト光が輝いて見えるようになる。また、前記デザインシートの前記透光部分は光源から照射された光の一部のみが透過可能な半透明な部分であっても良く、半透明な部分に光が当たれば光が拡散照射される。他方、前記デザインシートの前記遮光部分に光が当たれば遮光されて、その部分がシルエットのようなコントラストがつき、その結果、前記デザインシートがシルエットのように浮かび上がり、前記デザインシートと前記ＬＥＤ素子が出す光との相乗効果により装飾性を高めることができる。
【０００８】
前記制御ユニットには、好ましくは、振動及び音を検知するセンサーを設けてなる。これにより、ドアの開閉や足音等の振動及び音で前記ＬＥＤ素子が自動点灯し、ダイレクト光による輝きとシルエットのような装飾効果を演出すると共に、その後、設定時間になれば前記ＬＥＤ素子を自動消灯させることができる。
【考案の効果】
【０００９】
本考案によれば、前記発光機能付きＣＤケース型装飾装置が前記ＬＥＤ素子のダイレクト光による輝きと共に、拡散光によるデザインシートの前記印刷体がシルエットを浮かび上がらせるような装飾効果を演出することができる。
【００１０】
さらに、前記スイッチと振動及び音を検知する前記センサーと前記点灯制御回路とにより、前記ＬＥＤ素子の自動点灯、点滅点灯及び自動消灯をコントロールすることができる前記発光機能付きＣＤケース型装飾装置を提供でき、各種ＣＤの販促用の広告用グッズとしての使用に好適である。
【図面の簡単な説明】
【００１１】
【図１】本考案の発光機能付きＣＤケース型装飾装置の一実施例を示し、発光機能付きＣＤケース型装飾装置の（ａ）正面図、及び（ｂ）平面図である。
【図２】図１の発光機能付きＣＤケース型装飾装置の一実施例を示し、人の目を模したイラストを印刷したデザインシートの（ａ）正面図、及び（ｂ）平面図である。
【図３】図１の発光機能付きＣＤケース型装飾装置の一実施例を示し、発光ユニットと、電源ユニットと、制御ユニットとが組み込まれたベース板の構成からなるマウント体の（ａ）正面図、及び（ｂ）平面図である。
【図４】図２の発光機能付きＣＤケース型装飾装置のデザインシートの他の実施例で、ランプシェードを模したイラストを印刷したデザインシートの（ａ）正面図、及び（ｂ）平面図である。
【図５】図２の発光機能付きＣＤケース型装飾装置のデザインシートのさらに他の実施例で、楽しい家を模したイラストを印刷したデザインシートの（ａ）正面図、及び（ｂ）平面図である。
【図６】図１の発光機能付きＣＤケース型装飾装置の一実施例を示し、発光ユニットと、電源ユニットと、制御ユニットとが組み込まれたベース板の両面を正面側薄板と背面側薄板とで挟んで、各ユニットを収納固定した構成からなるマウント体の（ａ）正面図、及び（ｂ）平面図である。
【考案を実施するための形態】
【００１２】
以下、本考案に係る実施の形態を、図を参照しながら詳しく説明する。
【００１３】
本考案の発光機能付きＣＤケース型装飾装置１は、図１乃至図３及び図６に示すように、矩形の底板部７１の外周の一部に形成されてなる周壁７１１を有する収納基部５と、透明な樹脂からなる矩形の装飾板部７を有し、且つ前記装飾板部７の外周に沿って形成されてなる周壁７１３を有する矩形の装飾蓋部１７とが、それぞれの基端部１７１に設けられてなるヒンジ部１９において枢着されて互いに開閉可能に構成されるケース本体３を備えてなる。
【００１４】
前記ケース本体３は合成樹脂素材からなり、閉じ合わされた前記収納基部５と前記装飾蓋部１７によって囲まれてなる空間７３に、イラスト（本実施形態においては、人の目を模したイラストを印刷した例を示した）１１をデザインして印刷したデザインシート９を前記空間７３の正面側５１の全面に内設し、且つ、前記イラスト１１に準じた位置に複数のＬＥＤ素子３１１を配設した発光ユニット３１と、小型電池３３３とスイッチ３３５を電池ボックス３３１に内蔵した電源ユニット３３と、前記ＬＥＤ素子３１１の点灯制御回路３５１と振動センサー３５３と音センサー３５５からなる制御ユニット３５とを前記空間７３の背面側５３に内設してなる。なお、前記デザインシート９の印刷方法はシルク印刷が好ましい。
【００１５】
前記ＬＥＤ素子３１１は、前記収納基部５と前記装飾蓋部１７とを閉じ合わせた状態で、透光部分Ａ、Ｂ及び遮光部分Ｃとを有してなる平板状の前記デザインシート９の前記透光部分Ａの直下となる位置に複数配設されてなる。
【００１６】
前記正面側５１に内設した前記デザインシート９は、縦寸法が略１２０ミリメートル、横寸法が略１２５ミリメートル、厚さが略１ミリメートルの薄板の樹脂のシート材からなり、人の目を模したイラスト１１をデザインして印刷してなる印刷体９１を備えてなる。
【００１７】
前記デザインシート９はイラスト１１をデザインして印刷したプラスチックの印刷体９１からなるものであっても好ましい。この場合、前記デザインシート９には前記印刷体９１によって光が透過する前記透光部分Ａ、Ｂ、及び光が遮光される前記遮光部分Ｃが形成されてなるので、前記デザインシート９の前記透光部分Ａ、Ｂに光が当たればその部分のダイレクト光が輝いて見えるようになる。また、前記デザインシート９の前記透光部分Ａ、Ｂは光源から照射された光の一部のみが透過可能な半透明な部分であっても良く、半透明な部分に光が当たれば光が拡散照射される。他方、前記デザインシート９の前記遮光部分Ｃに光が当たれば遮光されて、その部分がシルエットのようなコントラストがつき、その結果、前記デザインシート９がシルエットのように浮かび上がり、前記デザインシート９と前記ＬＥＤ素子３１１が出す光との相乗効果により装飾性を高めることができる。なお、前記デザインシート９は、２層構造としても良く、その場合は、１枚目にイラスト１１を印刷して、２枚目に前記透過部分Ａと前記遮光部分Ｃの２色（透過部分を白と遮光部分を黒とし、または同様に透明と黒としても良い）印刷をして、その２枚を重ね合せて前記デザインシート９にすることも好ましい。
【００１８】
前記背面側５３に内設した前記発光ユニット３１と前記電源ユニット３３と前記制御ユニット３５とは、型紙、或いはアクリル樹脂等からなる厚板で構成されたベース板１３を座繰り、溝、或いは丸穴及び角穴等で形成した小空間１３１にそれぞれ接着剤で係着して配設されてなる。前記ベース板１３の全体の大きさは、縦寸法が略１２０ミリメートル、横寸法が略１２５ミリメートル、厚さが略５ミリメートルである。
【００１９】
前記デザインシート９と、前記発光ユニット３１と前記電源ユニット３３と前記制御ユニット３５とが組み込まれた前記ベース板１３とは、前記正面側５１には前記デザインシート９の表面が、反対側の前記背面側５３には前記ベース板１３の裏面がそれぞれ位置するように互いに接着剤で係着されてマウント体１５を構成されてなる。
【００２０】
また、前記発光ユニット３１と前記電源ユニット３３と前記制御ユニット３５とが、小空間１３１にそれぞれ接着剤で係着して組込み収納される前記ベース板１３の正面に、正面側薄板１３３を貼り合わせると共に、前記ベース板１３の背面に、背面側薄板１３５を貼り合せて各ユニットを収納固定しても良い。なお、その場合は、正面側薄板１３３には光を透過する穴１３７を発光ユニット３１が係着された位置に合わせて開けておき、且つ、一方の背面側薄板１３５には電池交換用の開閉可能な蓋部１３９を設けておくことが好ましい。また、前記正面側薄板１３３と前記背面側薄板１３５の材料は型紙、或いはアクリル樹脂等からなる薄板とすることが好ましい。
【００２１】
前記ベース板１３の両面に、前記正面側薄板１３３と前記背面側薄板１３５を貼り合せることにより、前記マウント体１５の組立がやり易くなる等、加工性の向上に繋がる。
【００２２】
このようにしてなる前記マウント体１５は、縦寸法が略１２５ミリメートル、横寸法が略１４０ミリメートル、厚さが略９ミリメートルの前記ケース本体３の前記空間７３内に、前記正面側５１には前記デザインシート９が、反対側の前記背面側５３には前記ベース板１３がそれぞれ位置するように挿入され、前記装飾蓋部１７が閉じられることにより前記発光機能付きＣＤケース型装飾装置１が完成される。
【００２３】
また、前記ケース本体３の、前記装飾蓋部１７が開閉する前記ヒンジ部１９側の小空間１９１には、発泡スチロール等を嵌入して、宣伝ロゴやタイトル等を表示することが好ましい。
【００２４】
前記発光ユニット３１は、前記空間７３内に配置されてなる被覆電線（図示略）によって、前記電源ユニット３３と前記制御ユニット３５とを相互に電気的に接続されてなる。
【００２５】
前記ＬＥＤ素子３１１の発光色は、電球色相当でも良く、また、昼光色相当でも良く、それ以外の発光色であっても好ましい。つまり、本考案の前記発光機能付きＣＤケース型装飾装置１の用途によって自在に選択が可能である。
【００２６】
また、前記ＬＥＤ素子３１１の光の向きは、前記正面側５１を向く方向に配設することが好ましく、前記制御ユニット３５で前記ＬＥＤ素子３１１の電気的条件を制御して、『１／ｆゆらぎ』機能と称されるような光がゆらゆらとゆらめくゆらぎ仕様の前記ＬＥＤ素子３１１の発光モードとしても好ましい。
【００２７】
前記小型電池３３３は、ボタン型電池、或いは単４電池からなり、前記小型電池３３３が消耗した場合には、前記ケース本体３から前記マウント体１５を取出して、前記電池ボックス３３１を開くことにより、電池交換が容易にできるようにされてなる。
【００２８】
前記制御ユニット３５には、前記ＬＥＤ素子３１１の前記点灯制御回路３５１と前記振動センサー３５３と前記音センサー３５５を設けてなり、ドアの開閉や足音等の振動、及び音で前記ＬＥＤ素子３１１が自動点灯し、前記透光部分Ａ及びＢを透過するダイレクト光による輝きと、前記遮光部分Ｃがシルエットを浮かび上がらせるような装飾効果を演出すると共に、点滅点灯及び自動消灯等をコントロールすることができる。
【００２９】
上記のようにしてなる本考案の前記発光機能付きＣＤケース型装飾装置１は、被設置対象であるＣＤの売り場の展示用ラック等に立て置いたり、或いは、壁に引掛けたりして使用するものであるが、前記発光機能付きＣＤケース型装飾装置１がコンパクトで、且つ軽量であることから、どのような場所でも各種ＣＤの販促用の広告用グッズとして簡便に使用することができる。
【００３０】
次いで、本考案の他の実施形態について、図４（ランプシェードを模したイラストを印刷したデザインシート）及び図５（楽しい家を模したイラストを印刷したデザインシート）に示すように、前記デザインシート９の前記印刷体９１のバリエーション違いのものを用いることができる。
【００３１】
上記の通り、本考案によれば、前記ケース本体３の前記収納基部５と前記装飾蓋部１７で構成される空間７３に、前記イラスト１１を印刷した前記デザインシート９の前記印刷体９１を前記空間７３の前記正面側５１の全面に内設し、前記イラスト１１に準じた位置に複数の前記ＬＥＤ素子３１１を配設した前記発光ユニット３１と、前記小型電池３３３と前記スイッチ３３５とを前記電池ボックス３３１に内蔵した前記電源ユニット３３と、前記ＬＥＤ素子３１１の前記点灯制御回路３５１と前記振動センサー３５３と前記音センサー３５５からなる前記制御ユニット３５とを前記空間７３の前記背面側５３に内設したことにより、コンパクトで、しかも安価で、高い装飾効果を得ることが可能な前記発光機能付きＣＤケース型装飾装置１を提供できる。
【００３２】
また、本考案によれば、前記ケース本体３が、前記透光部分Ａ及びＢを透過する前記ＬＥＤ素子３１１からのダイレクト光による輝きと共に、拡散光及び遮光による前記デザインシート９の前記印刷体９１における前記遮光部分Ｃがシルエットを浮かび上がらせるような装飾効果を演出し、前記スイッチ３３５と前記振動センサー３５３及び前記音センサー３５５と前記点灯制御回路３５１とにより、前記ＬＥＤ素子３１１の自動点灯、点滅点灯及び自動消灯等をコントロールすることができる前記発光機能付きＣＤケース型装飾装置１を提供でき、各種ＣＤの販促用の広告用グッズとしての使用に好適である。
【００３３】
また、本考案によれば、前記デザインシート９は人の目を模したイラスト１１を印刷したものに限ることなく、例えば、動物（図示略）であったり、キャラクター商品（図示略）であったり、銀杏の葉（図示略）であったり、電球（図示略）であったり、また、ランドマークタワー（図示略）であったり、イラスト１１のデザインのバリエーションの広がりは言うまでもない。
【符号の説明】
【００３４】
１    発光機能付きＣＤケース型装飾装置
３    ケース本体
５    収納基部
７    装飾板部
９    デザインシート
１１    イラスト
１３    ベース板
１５    マウント体
１７    装飾蓋部
１９    ヒンジ部
３１    発光ユニット
３３    電源ユニット
３５    制御ユニット
５１    正面側
５３    背面側
７１    底板部
７３    空間
９１    印刷体
１３１    小空間
１３３    正面側薄板
１３５    背面側薄板
１３７    穴
１３９    蓋部
１７１    基端部
１９１    小空間
３１１    ＬＥＤ素子
３３１    電池ボックス
３３３    小型電池
３３５    スイッチ
３５１    点灯制御回路
３５３    振動センサー
３５５    音センサー
７１１    周壁
７１３    周壁
Ａ    透光部分
Ｂ    透光部分
Ｃ    遮光部分
【図１】
0003203064.tif 000003
【図２】
0003203064.tif 000004
【図３】
0003203064.tif 000005
【図４】
0003203064.tif 000006
【図５】
0003203064.tif 000007
【図６】
0003203064.tif 000008